(57)【特許請求の範囲】
【請求項１】
天井梁と、天井パネルとを備えかつ内部が水平方向に壁で仕切られた第１，２の空間部となっている建物ユニットの天井構造であって、前記天井パネルは、前記壁に沿って設けられ前記天井梁よりも背の低い中間梁により仕切られ、前記天井パネルにおける前記第１の空間部には、複数本の天井小梁を介して第１の天井部材が取り付けられているとともに、前記天井パネルにおける前記第２の空間部には、前記第１の天井部材とは異なる部材の第２の天井部材が設けられ、
前記第２の天井部材には、水平な係止片を有する第１のブラケットと、水平な係止片を有し、かつ前記第１のブラケットよりも背の高い第２のブラケットとがそれぞれ取り付けられ、
前記第２の空間部の上方は開口部となっており、前記第２の天井部材は前記開口部の上方から落し込まれ、前記第１のブラケットの前記係止片が前記中間梁の上面に固定されるとともに、前記第２のブラケットの前記係止片が前記天井梁の上面に固定されていることを特徴とする建物ユニットの天井構造。
【請求項２】
請求項１に記載の建物ユニットの天井構造において、前記第１の空間部は居室部、前記第２の空間部は玄関ポーチ部となっていることを特徴とする建物ユニットの天井構造。
【請求項３】
請求項１に記載の建物ユニットの天井構造において、前記第１の空間部は玄関土間、前記第２の空間部は玄関ポーチ部となっていることを特徴とする建物ユニットの天井構造。
【請求項４】
請求項２または３に記載の建物ユニットの天井構造において、前記第２の天井部材は波板形状の軒天材を備えていることを特徴とする建物ユニットの天井構造。
【発明の詳細な説明】
【０００１】
【産業上の利用分野】
本発明は、建物ユニットの天井構造に係り、例えば玄関ポーチ部を備えた建物ユニットに利用できる。
【０００２】
【背景技術】
ユニット式建物を構成する建物ユニットは、天井パネルと、この天井パネルと上下に対向して配置される床パネルと、水平方向に対向する２個の妻パネルとを総組み工程で組み立てることにより形成する骨組みを備えている。この骨組みには、予め工場で内壁や外壁等が取り付けられるようになっており、このようにして生産された複数の建物ユニットを建設現場で組合わせることによりユニット式建物は建てられている。
また、建物ユニットの天井パネルには、例えば２枚重ねの石膏ボード等からなる天井面材が張られ、床パネルには、例えばパーチクルボード等の床面材が張られている。
【０００３】
【発明が解決しようとする課題】
ところで、生活様式の変化等により住宅の間取りプランも多様化してきている。従って、一つの建物ユニット内を２つの空間に仕切り、例えば居室部と玄関ポーチ部とを設けなければならないこともある。このような場合には、建物ユニットの天井を形成する天井パネルに、一律に同一仕様の天井面材を張りつけたのでは、居室部と玄関ポーチ部とのそれぞれの雰囲気に対応した天井を形成することはできないという問題が生じる。
【０００４】
本発明の目的は、一つの建物ユニット内が複数の空間に仕切られていても、各空間のそれぞれの雰囲気に対応した天井とできるようになる建物ユニットの天井構造を提供することにある。
【０００５】
【課題を解決するための手段】
本発明に係る建物ユニットの天井構造は、天井梁と、天井パネルとを備えかつ内部が水平方向に壁で仕切られた第１，２の空間部となっている建物ユニットの天井構造であって、前記天井パネルは、前記壁に沿って設けられ前記天井梁よりも背の低い中間梁により仕切られ、前記天井パネルにおける前記第１の空間部には、複数本の天井小梁を介して第１の天井部材が取り付けられているとともに、前記天井パネルにおける前記第２の空間部には、前記第１の天井部材とは異なる部材の第２の天井部材が設けられ、前記第２の天井部材には、水平な係止片を有する第１のブラケットと、水平な係止片を有し、かつ前記第１のブラケットよりも背の高い第２のブラケットとがそれぞれ取り付けられ、前記第２の空間部の上方は開口部となっており、前記第２の天井部材は前記開口部の上方から落し込まれ、前記第１のブラケットの前記係止片が前記中間梁の上面に固定されるとともに、前記第２のブラケットの前記係止片が前記天井梁の上面に固定されていることを特徴とすることを特徴とするものである。
【０００６】
本発明において、第１の空間部を居室部、第２の空間部を玄関ポーチ部としてもよく、あるいは、第１の空間部を玄関土間、第２の空間部を玄関ポーチ部としてもよい。そして、これらの場合、第２の天井部材は波板形状の軒天材を備えたものであってもよい。
【０００７】
【作用】
このような本発明では、第１の空間部の天井パネルには第１の天井部材が、第２の空間部の天井パネルには第２の天井部材がそれぞれ取り付けられ、この第２の天井部材と第１の天井部材とは部材が異なるので、各空間のそれぞれの雰囲気に対応した天井とできる。
【０００８】
この建物ユニットの天井構造において、第２の空間部の上方を開口部とし、この開口部の上方から第２の天井部材を落し込んで取り付けているため、例えば第１の空間部と第２の空間部とを仕切る外壁等の造作材を先に開口部から落し込むことができ、これにより、作業性が向上する。また、第１の空間部を居室部、第２の空間部を玄関ポーチ部とし、あるいは、第１の空間部を玄関土間、第２の空間部を玄関ポーチ部とするとともに、第２の空間部の第２の天井部材を波板形状の軒天材を備えたものとした場合、この波板形状の軒天材は、玄関ポーチ部の雰囲気に対応したものとなる。
【０００９】
【実施例】
以下に本発明の実施例を図面に基づいて説明する。
図１〜３には、本発明の第１実施例が示されている。
図１に示すように、建物ユニット１は、互いに平行な２本の長辺上梁１０を複数本の天井小梁１１等で結合して形成された天井パネル２と、この天井パネル２と対向して配置され互いに平行な２本の長辺下梁１３を複数本の根太１４等で結合して形成された床パネル３と、各２本の柱１６およびこれらの柱１６の上端間と下端間同士を結合する短辺上梁１７、短辺下梁１８で形成され、天井パネル２と床パネル３との両端に配置される壁パネルである２つの妻パネル４Ａ，４Ｂとを備えている。なお、天井パネル２の天井小梁１１の下面には、第１の天井部材である例えば２枚重ねの石膏ボードで形成された天井面材３１が取り付けられ、床パネル３にはパーチクルボード等からなる床面材６が張られている。
【００１０】
そして、これらの各パネル２，３，４Ａ，４Ｂを、総組み工程において組み合わせることにより、建物ユニット１の骨組み５（図２参照）が形成され、このような建物ユニット１を複数現場で組み合わせることにより、ユニット式建物が構成されるようになっている。
【００１１】
図２，３に示すように、天井パネル２の２本の長辺上梁１０間において妻パネル４Ａ側には、断面コ字形状の中間上梁２０が架けわたされており、この中間上梁２０から下方に延びた延長線を境界として、図２，３中右側が第１の空間部である例えば居室部３５となっており、左側が第２の空間部である例えば玄関ポーチ部３６となっている。
【００１２】
すなわち、中間上梁２０と妻パネル４Ｂの短辺上梁１７の下面には断面Ｌ字状のブラケット２４，２５がそれぞれ固着され、ブラケット２４には造作材であるポーチ部３６用の外壁２６が取り付けられ、ブラケット２５には建物ユニット１の外壁２７が取り付けられている。ここで、中間上梁２０の下面とポーチ部用外壁２６の上面との間には小空間３０が形成されている。
なお、外壁２６，２７は、ＡＬＣ（高温高圧蒸気養生された軽量気泡コンクリート）製となっている。
【００１３】
両外壁２６，２７の内側には、内壁３２，３２が取り付けられている。これらの内壁３２は、その上部は釘３３によって天井小梁１１に、下部は図示しないが、上部と同様に釘によって床材と根太とに固定されるようになっている。
このように、内壁３２，３２、天井面材３１等で囲まれた室内が前記居室部３５となっている。
【００１４】
図３に示すように、妻パネル４Ａの短辺上梁１７から天井パネル２において玄関ポーチ部３６に該当する部分にわたる長辺上梁１０には、断面Ｌ字形状の幕部材４６が取り付けられている。この幕部材４６は、例えば前記外壁２６，２７と同一材質のＡＬＣ製となっており、短辺上梁１７と長辺上梁１０のポーチ部３６の部分とを隠すようになっている。また、この幕部材４６の下部と短辺上梁１７の下面との間には空間３０’が形成されている。
【００１５】
図２，３に示すように、天井パネル２において玄関ポーチ部３６の上方は開口部３７となっており、この開口部３７には第２の天井材である補助天井パネル４０が、開口部３７の上方から落とし込まれて配置されるようになっている。
補助天井パネル４０は、波板状鉄板等で形成されたポーチ部用天井材４１と、この天井材４１を下面で支持する角材状の３本の野縁４２と、これらの野縁４２の長手方向両端の上面に取り付けられた断面クランク状の大小のブラケット４３，４４とを含んで構成されている。
【００１６】
ポーチ部用天井材４１の幅寸法は、図３に示すように、前記開口部３７の幅より僅かに広く形成されるとともに、前記空間３０，３０’内に納まるようになっている。野縁４２は開口部３７の幅内に挿通可能な長さ寸法に形成されている。また、大きなブラケット４３は水平な係止部４３Ａを有するとともに、この係止部４３Ａを介して妻パネル４Ａの短辺上梁１７の上面に載せられるようになっている。小さなブラケット４４は水平な係止部４４Ａを有するとともに、この係止部４４Ａを介して前記中間上梁２０の上面に載せられるようになっている。
【００１７】
そして、補助天井パネル４０が所定の位置に配置されたとき、ポーチ部用天井材４１の両端により開口部３７は隠れるようになっており、また、天井材４１の下面と居室部３５の天井面材３１の下面とは、ほぼ同一高さとなっている。
なお、補助天井パネル４０は所定の位置に配置された後、大小のブラケット４３，４４の係止部４３Ａ，４４Ａが溶接等により上記短辺上梁１７、中間上梁２０に固着されるようになっている。また、図３において符号５０は、玄関ポーチ部３６を備えた建物ユニット１の図中向こう側に配置された他の建物ユニット１に設けられた玄関ドアである。
【００１８】
次に、以上のような建物ユニット１の天井施工方法を説明する。
まず、総組み工程において内壁３２、天井材３１等が取り付けられた建物ユニット１に、クレーンで吊り下げた造作材であるポーチ部用外壁２６を、天井パネル２の上方から開口部３７から落とし込み、この外壁２６を第１のブラケット２４に取り付ける。そして、外壁２６で居室部３５と玄関ポーチ部３６との境界とする。この際、外壁２６が開口部３７内に入りにくいときは、まず斜めに差し込んみ、開口部３７を通過した後で元に戻すようにする。
【００１９】
この後、開口部３７に補助天井パネル４０を落とし込む。この際、ポーチ部用天井材４１の幅方向両端が短辺上梁１７の下面と幕部材４６の下部における内側面との間の隙間３０’、および中間上梁２０の下面と外壁２６の上面との間の隙間３０内に納まるように、天井材４１を開口部３７の幅方向に交互にずらしながら落とし込んでゆく。大小のブラケット４３，４４が短辺上梁１７、中間上梁２０の上面に載せられ所定の位置に配置された後、両ブラケット４３，４４の係止部４３Ａ，４４Ａと短辺上梁１７、中間上梁２０とを溶接して補助天井パネル４０を固定する。
【００２０】
前述のような本実施例によれば次のような効果がある。
▲１▼建物ユニット１には居室部３５と玄関ポーチ部３６とが設けられているが、居室部３５の天井は、２枚重ねの石膏ボード等からなる天井面材３１で形成され、玄関ポーチ部３６の天井は、波板状鉄板等で形成されたポーチ部用天井材４１で形成されているので、それぞれの雰囲気に対応した天井構成とすることができる。
▲２▼補助天井パネル４０は、ポーチ部用天井材４１、野縁４２、大小のブラケット４３，４４等で一体形成され、簡単な構造なので取扱いやすい。
【００２１】
▲３▼補助天井パネル４０の大小のブラケット４３，４４は、水平な係止部４３Ａ，４４Ａをそれぞれ有し、これらの係止部４３Ａ，４４Ａをポーチ部３６の短辺上梁１７と中間上梁２０との上に載せるだけでよいので、補助天井パネル４０の位置決めが容易となる。
▲４▼補助天井パネル４０のポーチ部用天井材４１の幅寸法は、開口部３７の幅寸法より広いので、開口部３７が完全に隠れ、これにより、下方から短辺上梁１７や中間上梁２０等の骨組みが見えないという効果がある。
【００２２】
図４〜６には、本発明の第２実施例が示されている。
この実施例では、前記第１実施例で、建物ユニット１の長手方向をポーチ部３６用の外壁２６で仕切り、これにより形成された第１の空間を居室部３５、第２の空間をポーチ部３６としたものを、建物ユニット１’の幅方向を玄関サッシフレーム５４、ポーチ部用外壁２６’で仕切り、これにより形成された第１の空間を玄関土間５５とし、第２の空間をポーチ部５６としたものである。
なお、玄関土間５５は、水平方向に隣合う他の建物ユニット１’の玄関土間５５’とともに、一つの玄関土間を形成するようになっている。
【００２３】
建物ユニット１’の互いに対向する短辺上梁１７’と短辺下梁１８’の途中位置には、建物ユニット１’の長辺梁１０’と平行な中間上梁２０’と中間下梁５７とが、上下方向の一直線上にそれぞれ架けわたされ、これらの中間上梁２０’と中間下梁５７との間には、間柱６０が立設されるとともに、前記サッシ受けフレーム５４が設けられている。
このサッシ受けフレーム５４には、玄関ポーチ部５６から玄関土間５５に通じる玄関ドア５０’が取り付けられている。
【００２４】
また、サッシ受けフレーム５４の一側面側には、平面Ｌ字状のポーチ部用外壁２６’およびコーナー外壁５９が配置されるとともに、これらの外壁２６’，５９は、図示しない取付具により、中間上梁２０’、中間下梁５７、短辺上梁１７’等に取り付けられている。
このように、建物ユニット１’は、サッシ受けフレーム５４と外壁２６’とによって仕切られ、外壁２６’の配置されない側が第１の空間とされ、この空間は、前述のように玄関土間５５となっている。そして、外壁２６’の配置側が第２の空間とされ、この空間は、前述のように玄関ポーチ部５６となっている。
【００２５】
第１の空間、すなわち玄関土間５５の天井部は、図４に示すように、建物ユニット１’の長辺梁１０’と中間上梁２０’との間に架けわたされた複数本の天井小梁１１’を備えて形成され、これらの天井小梁１１’の下面には、前記第１実施例の居室部３５の天井部と同様に、石膏ボード等の２枚重ねからなる天井面材３１’が釘打ちにより取り付けられている。
なお、天井面材３１’と他の建物ユニット１’の天井面材３１''との間には、接続用天井面材５８が現場で取り付けられるようになっている。
【００２６】
また、玄関ポーチ部５６の上部は開口部３７’となっており、この開口部３７’には、前記第１実施例の玄関ポーチ部３６の天井部と同様に、補助天井パネル４０’を落し込むことにより配置されるようになっている。この補助天井パネル４０’は、天井小梁１１’と平行に配置される複数本の野縁４２’と、これらの野縁４２’の上部かつ両端部に取り付けられたブラケット４３’と、野縁４２’の下面に取り付けられた波板状鉄板等からなるポーチ部用天井材４１’を備えて形成されている。そして、外壁２６’等を玄関ポーチ部３６’内に取り付けた後、玄関ポーチ部３６’の上方から、補助天井パネル４０’を落し込み、ブラケット４３’を建物ユニット１’の長辺梁１０’と中間上梁２０’との上に載せることにより、補助天井パネル４０’の取り付けを行うようになっている。
【００２７】
なお、図４，５に示すように、建物ユニット１’の長辺下梁１３’，１３’は、柱１６に対して着脱可能に仮止めされており、現場に搬送するとともに、所定位置に配置した後、取り外されるようになっている。
また、第２実施例において、前記第１実施例と同一構造および同一部材には同一符号を付すとともに、その詳細な説明は省略または簡略化してある。
【００２８】
このような本実施例では、前記と同様の手順によって建物ユニット１’の天井施工を行う他、前記▲１▼〜▲４▼と同様の効果が生ずる。
【００２９】
なお、本発明は前述の各実施例に限定されるものではなく、本発明の目的を達成できる範囲であれば次に示すような変形例を含むものである。
例えば、前記各実施例では、補助天井パネル４０，４０’のポーチ部用天井材４１，４１’は波板状鉄板で形成されていたが、これに限らず、通常の鉄板、合成樹脂製の板部材等で形成してもよい。要するに、本発明では、第１の空間部である居室部３５、玄関土間５５の天井と、第２の空間部である玄関ポーチ部３６，５６の天井とが異なる部材で形成され、第１の空間部と第２の空間部との天井が異なる雰囲気となるものであればよい。
【００３０】
また、前記第１実施例では、補助天井パネル４０は大小のブラケット４３，４４の水平な係止部４３Ａ，４４Ａを、短辺上梁１７、中間上梁２０の上面に載せた後、例えば溶接で固着するようにしたが、これに限らず、例えば、大小のブラケット４３，４４の係止部４３Ａ，４４Ａの下面に凸部を形成するとともに、短辺上梁１７、中間上梁２０の上面に凹部を形成し、凸部を凹部に係合させるようにしてもよい。このようにすれば、補助天井パネル４０の位置決めが容易となり、落とし込み作業がより容易となる。
【００３１】
さらに、前記各実施例では、柱１６、梁１７等からなる骨組み５を備えた建物ユニット１．１’の天井構造に使用されているが、これに限らず、例えば面材を下地材に取り付けて形成した木製の壁パネル、床パネル、天井パネル等からなる壁式ユニットの天井構造にも利用できる。
【００３２】
【発明の効果】
以上で説明したように、本発明の建物ユニットの天井構造によれば、第１の空間部の天井パネルには第１の天井部材が、第２の空間部の天井パネルには第２の天井部材がそれぞれ取り付けられ、この第２の天井部材と第１の天井部材とは部材が異なるので、各空間のそれぞれの雰囲気に対応した天井とできる。
【図面の簡単な説明】
【図１】本発明の第１実施例に係る建物ユニットを示す分解斜視図である。
【図２】第１実施例に係る建物ユニットの天井施工の途中の状態を示す斜視図である。
【図３】第１実施例の建物ユニットの居室部と玄関ポーチ部とに異なる天井が取り付けられた状態を示す断面図である。
【図４】本発明の第２実施例に係る建物ユニットを示す斜視図である。
【図５】第２実施例に係る建物ユニットを示す平面図である。
【図６】第２実施例の建物ユニットの玄関土間と玄関ポーチ部とに異なる天井が取り付けられた状態を示す断面図である。
【符号の説明】
１，１’  建物ユニット
２  天井パネル
３  床パネル
４Ａ，４Ｂ  妻パネル
６  床面材
３１，３１’  天井面材（第１の天井面材）
３５  居室部（第１の空間部）
３６  玄関ポーチ部（第２の空間部）
３７，３７’  開口部
４０，４０’  補助天井パネル（第２の天井面材）
４１，４１’  波板状鉄板からなるポーチ部用天井材
５５  玄関土間（第１の空間部）
５６  玄関ポーチ部（第２の空間部）
【図１】
0003701707.tif 000002
【図２】
0003701707.tif 000003
【図３】
0003701707.tif 000004
【図４】
0003701707.tif 000005
【図５】
0003701707.tif 000006
【図６】
0003701707.tif 000007